(57)【要約】【課題】光ディスクの初期化装置を改良して、レーザ照射系の対物レンズを自動的に清掃できるようにする。【解決手段】レーザ照射系２ａの対物レンズ４を覆う安全遮蔽シャッタ１２にブラシ１３を取り付ける。前記安全遮蔽シャッタ１２は、回動軸１２ｄを中心として円弧矢印ａ−ｂのように移動し、対物レンズ４を覆う位置に進出したり、対物レンズ４を覆わない位置に退避したりする。安全遮蔽シャッタ１２が進出・退避作動するごとに、ブラシ１３が対物レンズ４を払拭して清掃する。【選択図】図１
2009289341.tif 000002
【特許請求の範囲】
【請求項１】
光ディスクにレーザ光を照射して初期化する装置において、
レーザ照射系の対物レンズを覆う位置に進出・退避する安全遮蔽シャッタが設けられるとともに、前記安全遮蔽シャッタにブラシが取り付けられていて、
前記の安全遮蔽シャッタがレンズを覆う位置に進出する際、及び又は退避する際、前記ブラシが対物レンズ面を払拭するようになっていることを特徴とする、光ディスク初期化装置のレンズ自動清掃機構。
【請求項２】
前記安全遮蔽シャッタが進出・退避作動する軌跡が、回動軸を中心とする円弧であり、
かつ該円弧が、前記対物レンズの表面にほぼ沿っていることを特徴とする、請求項１に記載した光ディスク初期化装置のレンズ自動清掃機構。
【請求項３】
光ディスクにレーザ光を照射して初期化する装置のレンズを清掃する方法において、
レーザ照射系の対物レンズを覆う位置に進出作動・退避作動する安全遮蔽シャッタに、予めブラシを取り付けておき、
前記安全遮蔽シャッタが進出作動したり退避作動したりする際、前記のブラシによって自動的に対物レンズを払拭することを特徴とする、光ディスク初期化装置のレンズ自動清掃方法。  
【請求項４】
前記のブラシが対物レンズの表面に沿って円弧状に移動するよう、前記安全遮蔽シャッタを回動させることによって、その進出・退避作動を行なわせることを特徴とする、請求項３に記載した光ディスク初期化装置のレンズ自動清掃方法。
【発明の詳細な説明】
【技術分野】
【０００１】
本発明は、光ディスクにレーザを照射して初期化する技術に係り、特に、レーザ照射系の対物レンズを自動的に清掃する装置、及び同対物レンズを自動的に清掃する方法に関するものである。
【背景技術】
【０００２】
図４は、従来例の光ディスク初期化装置を示す模式的な斜視図である。
初期化しようとする光ディスク３に、対物レンズ４で集束させたレーザ光束５の焦点を結ばせる。
レーザ光源６から投射されたレーザ光は集光レンズ７で平行光束となり、ビームスプリッタ８を通過した後、λ／４板９を通過し、ミラー１０で反射されて対物レンズ４に入射する。
符号１２を付して示したのは安全遮蔽シャッタであって、定期的に行われるレーザ診断の際、矢印ａのように対物レンズ４を覆う位置へ進出せしめられ、その他の期間は矢印ｂのように退避している。
符号１１を付して示したのはオートフォーカスサーボ系である。
説明の便宜上、この図４に描かれている機構のうち、光ディスク３以外の構成部分をレーザ照射系と呼ぶ。
【０００３】
図５は従来例の光ディスク初期化装置を描いた３面図である。前掲の図４で説明したレーザ照射系は、符号２ａを付して示した箇所に収納されていて、その大部分は外観に現れていないが、その対物レンズ４の頂部が見えている。
符号１２を付して示した安全遮蔽シャッタについては、図６を参照して次の段落で詳しく説明する。本図５においては、光ディスク初期化装置全体の中における対物レンズ４の位置と安全遮蔽シャッタ１２の位置とを御理解頂きたい。
【０００４】
図６は、前掲の図５に示した光ディスク初期化装置の要部を描いた模式的な斜視図である。ただし、光ディスクをマウントしていない状態を描いてある。
光ディスク初期化装置は光ディスクを１枚ずつマウントして初期化処理し、この際一般に、著作権保護等のため保護コード（ＢＣＡコード）を書き込む。そして、定期的にレーザ診断が行われる。
前記のレーザ照射系は比較的大容量（例えば５Ｗ）であるから、レーザ診断を行なう場合の光漏れ防止のため遮光用の安全遮蔽シャッタ１２が設けられている。
この安全遮蔽シャッタ１２は、回動軸１２ｄを中心として往復矢印ａ−ｂのように前進，後退する。
実線で描いた１２Ａは前記安全遮蔽シャッタ１２が対物レンズ４を覆う進出位置であり、仮想線で描いた１２Ｂは該安全遮蔽シャッタ１２が対物レンズ４から後退した退避位置である。
前記のレーザ照射系は符号２ａを付した箇所に収納されている。
【特許文献１】特開２００５−２９３８１０号公報
【発明の開示】
【発明が解決しようとする課題】
【０００５】
前掲の図４に示した従来技術に係る光ディスクの初期化装置においては、静電気等の影響で対物レンズ４に埃が堆積し易い。静電気による埃の吸着は家庭用のテレビ画面やパソコン画面にも見受けられる現象である。
従来は、光ディスク初期化装置を停止させて保守員の手作業によるレンズ清掃が行なわれていた。
このため、初期化装置の保守管理工数が嵩み、人為的なミスによってレンズ汚れが放置される虞れが有った。レンズが汚れていると、レーザ出力が減少して初期化装置の性能が低下するとう不具合を招く。
本発明は以上に述べた事情に鑑みて為されたものであって、その目的は、光ディスクの初期化装置におけるレーザ照射系の対物レンズを、自動的にかつ定期的に清掃して、レーザ照射系の完全な機能を維持し得る技術を提供することである。
【課題を解決するための手段】
【０００６】
本発明の基本的な原理について、その１実施形態に対応する図１を参照して説明すると次の通りである。
この［課題を解決するための手段］の欄は、図面との対照が容易なように括弧書きで図面符号を付記してあるが、この括弧付き符号は本発明の構成を図面のとおりに限定するものではない。
請求項１の発明に係る光ディスク初期化装置のレンズ自動清掃機構の構成は、光ディスクにレーザ光を照射して初期化する装置において、
（図１参照）レーザ照射系（２ａ）の対物レンズ（４）を覆う位置に進出・退避し得る安全遮蔽シャッタ（１２）が設けられるとともに、前記安全遮蔽シャッタにブラシ（１３）が取り付けられていて、
前記の安全遮蔽シャッタ（１２）が対物レンズ（４）を覆う位置に進出する際、及び又は退避する際、前記ブラシ（１３）が対物レンズ面を払拭するようになっていることを特徴とする。
【０００７】
請求項２の発明に係る光ディスク初期化装置のレンズ自動清掃機構の構成は、前記請求項１の発明機構の構成要件に加えて、
前記安全遮蔽シャッタ（１２）が進出・退避作動する軌跡が、回動軸を中心とする円弧（矢印ａ−ｂ）であり、
かつ該円弧が、前記対物レンズ（４）の表面にほぼ沿っていることを特徴とする。
本発明機構におけるブラシが対物レンズ面を払拭する作動の軌跡は、該対物レンズの曲面に対して厳密に一致していることを要しない。従って、前記の「対物レンズの表面にほぼ沿っている」とは、掛け離れていなければ足りる。
【０００８】
請求項３の発明に係る光ディスク初期化装置のレンズ自動清掃方法は、
（図１参照）光ディスクにレーザ光を照射して初期化する装置のレンズを清掃する方法において、
レーザ照射系（２ａ）の対物レンズ（４）を覆う位置に進出作動・退避作動する安全遮蔽シャッタ（１２）に、予めブラシ（１３）を取り付けておき、
前記安全遮蔽シャッタが進出作動したり退避作動したりする際、前記のブラシによって自動的に対物レンズを払拭することを特徴とする。
【０００９】
請求項４の発明に係る光ディスク初期化装置のレンズ自動清掃方法は、前記請求項３に係る発明方法の構成要件に加えて、
（図１参照）前記のブラシが対物レンズ（４）の表面に沿って円弧状（矢印ａ−ｂ）に移動するよう、前記安全遮蔽シャッタを回動させることによって、その進出・退避作動を行なわせることを特徴とする。
【発明の効果】
【００１０】
請求項１の発明機構を適用すると、
光ディスクの初期化装置を稼働させたとき、定期的に行われるレーザ診断の度ごとに、対物レンズがブラシで払拭されて自動的に清掃される。
このため、対物レンズ４に埃が付着してレーザ光が減衰するというトラブルを生じる虞れが無い。
清掃が自動的に行われるからメンテナンス工数が節減され、かつ人為的なミスによって
清掃を失念することが無い。
【００１１】
請求項２の発明機構を前記請求項１の発明機構に併せて実施すると、
対物レンズが凸レンズであることに対応して、安全遮蔽シャッタが進出・退避作動する軌跡が円弧であるから、該安全遮蔽シャッタに装着されているブラシが対物レンズの表面に沿って移動し、都合良く払拭することができる。
【００１２】
請求項３の発明方法を適用すると、光ディスクにレーザ光を照射して初期化する場合、レーザ照射系の対物レンズを覆う位置に進出作動・退避作動する安全遮蔽シャッタに、予めブラシを取り付けておいて、該安全遮蔽シャッタが進出作動したり退避作動したりする際、前記のブラシによって自動的に対物レンズを払拭するので、
光ディスク初期化装置の保守に手数が掛からず、しかも人為的なミスを生じる虞れが無い。
【００１３】
請求項４の発明方法を前記請求項３の発明方法に併せて実施すると、
前記のブラシが対物レンズの表面に沿って円弧状に移動するので、レンズ表面の払拭，清掃が円滑に行われる。
【発明を実施するための最良の形態】
【００１４】
図１は本発明の１実施形態を示す模式的な斜視図である。
この実施形態は、前掲の図６に示した公知例の光ディスク初期化装置に対して本発明を適用した１例である。
以下に、図１の構成が図６の構成と異なる点、すなわち本発明を適用して改良した事項を抽出して説明する。
安全遮蔽シャッタ１２の遮光板部分、すなわち対物レンズ４に対向している箇所に、ブラシ１３が取り付けられていて、該ブラシの穂先が対物レンズ４に対して軽く触れるようになっている。
本発明において、ブラシとはレンズを払拭して清掃する部材の総称であり、必ずしも毛を並べた器具とは限定されない。
【００１５】
前記安全遮蔽シャッタ１２は、回動軸１２ｄを中心として往復円弧矢印ａ−ｂのように
往復回動する。
この部分を回動軸１２ｄ方向に見た正面図を図２に示す。
図２（Ａ）は安全遮蔽シャッタが進出位置に在る状態を描き、図２（Ｂ）は安全遮蔽シャッタが退避位置に在る状態を描いてある。
対物レンズ４の頂面は一般に凸形であるから、安全遮蔽シャッタ１２に装着されたブラシ１３が円弧矢印ａ−ｂのように移動することは非常に好都合であって、円滑な清掃作動が行われる。
【００１６】
図３は、本実施形態に係る光ディスク初期化装置のレンズ自動清掃機構における動作フローチャートである。
本例においては、ディスクを２０枚初期化するごとに１回のレーザ診断が行われ、レーザ診断に伴って自動的に対物レンズが清掃される。
本発明機構がスタートすると、ステップｃで初期化回数のカウントｎが０に戻される。
次いで、ステップｄで光ディスク３がマウントされ、ステップｄで保護コードを書き込んで初期化処理される。
初期化が終わった光ディスクは、ステップｆで取り出されるが、引き続いてステップｇで初期化回数のカウントｎに１が加算される。
【００１７】
ステップｇで＋１されたｎの数値をステップｈで勘定し、２０の倍数であるか否かが判断される。
２０の倍数でなければ、矢印ＮＯのようにステップｄに還り、前記と同様にして光ディスクの初期化処理が行なわれる。このサイクルを繰り返すごとにカウント数ｎが増えてゆく。
２０枚の光ディスクを初期化処理してｎ＝２０になると、ステップｉに進んでレーザ診断が行われる。
レーザ診断に際しては、レーザの光量漏れを防止するため前記の安全遮蔽シャッタ１２
を進出させて対物レンズ４を覆う（図２（Ａ）の状態になる）。
【００１８】
安全遮蔽シャッタ１２が、図２（Ｂ）の退避位置１２Ｂから円弧矢印ａ方向に前進して（Ｂ）の進出位置１２Ａになる際、及びレーザ診断を終わって退避位置１２Ｂに戻る際、
ブラシ１３が対物レンズ４を自動的に清掃する。
ステップｉに「同時に安全遮蔽シャッタ作動」と記載されているのは、対物レンズ清掃が行われることを意味している。
次いでステップｊに進んで、初期化回数のカウントｎが、その時のロットの予定数に達したか否かをチェックし、
予定数になるまで前記の作動を繰り返し、
予定数に到達すると矢印ＹＥＳのごとく進んでエンドに至る。
【図面の簡単な説明】
【００１９】
【図１】本発明に係る光ディスク初期化装置のレンズ自動清掃機構の１実施形態を示す要部斜視図である。
【図２】前掲の図１に示した実施形態の要部正面図であり、（Ａ）は安全遮蔽シャッタが進出位置に在る状態を描き、（Ｂ）は安全遮蔽シャッタが退避位置に在る状態を描いてある。
【図３】前記実施形態に係る光ディスク初期化装置のレンズ自動清掃機構の作動を説明するためのフローチャートである。
【図４】従来例の光ディスク初期化装置におけるレーザ照射系を描いた模式的な斜視図である。
【図５】前記従来例の光ディスク初期化装置の全体的な外観を示し、（Ａ）は正面図、（Ｂ）は側面図、（Ｃ）は平面図である。
【図６】前記従来例に係る光ディスク初期化装置のレーザ照射系付近を描いた外観斜視図である。
【符号の説明】
【００２０】
２…初期化装置    ２ａ…レーザ照射系    ３…光ディスク    ４…対物レンズ
５…レーザ光束    ６…レーザ光源    ７…集光レンズ    ８…ビームスプリッタ
９…λ／４板    １０…ミラー    １１…オートフォーカスサーボ系
１２…安全遮蔽シャッタ    １２Ａ…安全遮蔽シャッタの進出位置
１２Ｂ…安全遮蔽シャッタの退避位置    １２ｄ…回動軸
ａ−ｂ…安全遮蔽シャッタの移動を表す矢印
ｃ〜ｊ…フロー図におけるステップを示す符号
【図１】
2009289341.tif 000003
【図２】
2009289341.tif 000004
【図３】
2009289341.tif 000005
【図４】
2009289341.tif 000006
【図５】
2009289341.tif 000007
【図６】
2009289341.tif 000008